【事件の表示】
　上記当事者間の登録第４１１３７０６号商標の登録無効審判事件について、次のとおり審決する。
【結論】
　登録第４１１３７０６号商標の登録を無効とする。
　審判費用は、被請求人の負担とする。
【理由】
１　本件商標
　本件登録第４１１３７０６号商標（以下「本件商標」という。）は、別紙に示すとおりの文字を横書きしてなり、平成７年１０月９日登録出願、第１９類「陶磁製建築専用材料、れんが及び耐火物、合成建築専用材料、アスファルト及びアスファルト製の建築用又は構築用の専用材料、ゴム製の建築用又は構築用の専用材料、しっくい、石灰製の建築用又は構築用の専用材料、石こう製の建築用又は構築用の専用材料、繊維製の落石防止網、建造物組立てセット（金属製のものを除く。）、セメント及びその製品、木材、石材、建築用ガラス、建具（金属製のものを除く。）」を指定商品として、平成１０年２月１３日に設定の登録がされたものである。
２　請求人の主張
　請求人は、結論同旨の審決を求めると申し立て、その理由を概略次のように述べ、証拠方法として甲第１号証乃至同第３３号証を提出している。
　（１）商標法第４条第１項第７号について
　本件商標は、片仮名文字の「ミューチャ」、アルファベットの「Ｍｕｃｈａ」および片仮名文字の「ミューシャ」を上中下３段に併記してなり、チェコの画家名「Ａｌｐｈｏｎｓｅ　Ｍｕｃｈａ」の著名な略称である「Ｍｕｃｈａ」からなるものである。
　請求人は、「Ａｌｐｈｏｎｓｅ　Ｍｕｃｈａ」氏（以下、ミュシヤ氏と略称する）作の絵画の所有者であるが、その代表者「Ｊｏｈｎ　Ｍｕｃｈａ」はミュシャ氏の孫に当たるものである。
　ミュシャ氏は、１８６０年７月２４日チェコに生まれた。彼は１８８２年エマホーフ城の壁画の修復にあたり、その後、挿絵とかポスターを制作していく。彼の作品は細部まで注意深く仕上げられたデッサンと淡くやわらかな色調、そして精巧な装飾のタッチで優しく敬虔に語るものである。彼のポスターは、ヴィクトリア朝の乙女を控え目な官能性、遠慮がちな眠差し、慎み深い物腰で描き出し、ほめたたえるような作品である。それは内に秘めた炎をはからずも露呈するように、抑えきれずにはねあがる長く束ねた髪の一房だけで措き出すといった具合である。
　彼の気品あるポスターの穏やかな美しさは、パリ市民の支持を得、彼の人気は最高潮に達するのである。（甲第１号証〜同第２３号証）
　彼の作品は、その数の多さからほとんど網羅しえないほどのポスターなどにおよぶいわゆる「ミュシャ・スタイル」は、芸術的試行の典型的具現として１８９０年、又は１９９０年頃のすべての世代の芸術家、意匠デザイナー模範となった。その意味で、「ミュシャ・スタイル」は、アール・ヌーボー（新しい芸術）やユーゲントシュテイール（青春様式）と同義の言葉となるにいたったのである。
　我が国においても、アルフォンス・ミュシャ展が彼の没後５０年を記念して、１９８６年に、高島屋東京店、高島屋京都店などをはじめ、全国津々浦々２５か所の美術館で開催され、わが国でも広く再認識されるにいたった。それは本件の登録出願より９年も前のことである（甲第８号証および同第９号証）。
　それはまさに本件商標が意味するとおり「Ｍｕｃｈａの時期」すなわち「Ｍｕｃｈａの最盛期」であったのである。
　それゆえ、本件商標は、「Ｍｕｃｈａ」を称えたことばであると認識されるものである。
　さらに、Ｍｕｃｈａの作品は全欧州では２０１０年まで有効に存在するものである。つまり、美術品の著作権の存続期間は、作者の没後７０年間存在することになっているものである。これは世界的な潮流であり、わが国もその潮流に調和していく動きがある。（甲第２３号証）
　そうであるとすれば、本件商標は、画家の著名な略称含んでいるものである。そのような商標を他人が本人またはＭｕｃｈａの作品を正当に引き継いでいる権利者の承諾なしに使用・登録することは、作者の人格権を侵害するものである。また、正当権利者が所有する作品の著名さを盗用し、只乗りするものであるからそれらの利益を阻害し公正な取り引きとは到底容認できないところである。
　のみならず、天才画家の傑作は、Ｍｕｃｈａおよびその正当権利者である請求人の利益のために存在するものではなく、チェコ国および人類共通の遺産でもあるから、その名称を他人が個人的利益追及の具として勝手に使用し、また登録を受けることは、公序良俗に違反するものといわなければならない。
　したがって、本件商標は、商標法第４条第１項第７号に該当する。
（２）商標法第４条第１項第１５号について
　請求人は、ミュシャ氏の署名「Ｍｕｃｈａ」のブランドのもとに種々の商品展開をする英国法に基づき正当に設立された企業であるが、英国、米国、日本等で商標登録を受け、商品販売活動を行っているものである。
　そして、わが国においては、株式会社ジーイーエム（京都中野区鷺宮６−１３−８所在）が、請求人の総代理店となって商品化業を行っているものである。
　それゆえ、もしも本件商標が出願人によって指定商品に使用されたときには、それらも請求人の使用許諾を得たものによって販売される商品であろうと、取引者および一般需要者がその商品の出所について混同をするおそれが多分に存在するものである。
　そうなれば、「ミュシャ・スタイル」は、世界的に作品のイメージを保持するように厳格な条件のもとに許諾され、かつ、品質管理され、それによって当該傑作の同一性を維持し続けられているが、その信用が阻害され、あるいは崩壊の危機にさらされるものである。
　また、「ミュシャ・スタイル」を信頼して商品を購入する一般消費者を欺罔することになる。
　したがって、本件商標は、商標法第４条第１項第１５号にも該当する。
３　被請求人の答弁
　被請求人は、本件審判の請求に対し、何ら答弁していない。
４　当審の判断
　請求人の提出にかかる書証よりみて、以下の点を認めることができる。
　（１）甲第６号証、同第７号証、同第１０号証及び同第１２号証乃至同第１６号証によれば、「ミュシャ（Ａｌｐｈｏｎｓｅ　Ｍｕｃｈａ）」は、（１８６０−１９３９）チェコスロバキアの画家、グラフィック・アーティスト、デザイナー、舞台美術家。ミュシャの気品あるポスターの穏やかな美しさは、パリ全市民の支持を得たこと、そしてアール・ヌーヴォー（一時期はミュシャ様式と同義であった）を代表する芸術家の一人。スラヴやオリエントの装飾的要素を加味したアール・ヌーヴォー風の広告ポスター（女優サラ・ベルナールのポスターがもっとも有名）により、ヨーロッパ全域で名声を得たことが記載されている。
　（２）甲第１１号証によれば、「ミュシャ財団」は、１９９２年に設立され、アルフォンス・ミュシャ作品（ポスター、装飾用パネル、油彩、パステル画、素描、写真、デザイン、彫刻、書籍及び宝石類等）の所有者であるミュシャトラストに代わり作品を保存・維持し、また、展覧会を通じて作品の宣伝を行っている。そして、請求人は、ミュシャの著作権及び商標「ミュシャ」を通じてミュシャの芸術的財産を宣伝する機会を広める宣伝会社として、１９９３年ミュシャトラストにより設立されたことが認められる。
　（３）甲第８号証によれば、没後５０年記念の「アルフォンス・ミュシャ展／ＴＨＥ　５０ＴＨ　ＹＥＡＲ　ＡＮＮＩＶＥＲＳＡＲＹ　ＥＸＨＩＢＩＴＩＯＮ　ＯＦ　ＡＬＰＨＯＮＳＥ　ＭＵＣＨＡ」が高島屋東京店（１９８９年４月６日）を皮切りに、その後、２４か所の国内各地の美術館等で開催されたこと、また、甲第９号証によれば、アルフオンス　ミュシャ「生涯と芸術」展／ＡＬＰＨＯＮＳＥ　ＭＵＣＨＡ−ＨＩＳ　ＬＩＦＥ＆ＡＲＴがＢｕｎｋａｍｕｒａ　ザ・ミュージアム（１９９５年１０月７日〜１１月２６日）を始めとして各地の美術館等で開催されていたことが認められる。
　（４）甲第１８号証によれば、請求人は、「ＭＵＣＨＡ」のブランドのもとに商品販売活動を行っており、わが国においては、株式会社アートプリントジャパン、株式会社講談社、桃山陶器株式会社等の会社と紙製品、ネクタイ、陶磁器製品、時計等についてライセンシー契約があることが示されている。
　上記の（１）乃至（４）の各点よりすると、別紙に示すとおり「ミューチャ」「ＭＵＣＨＡ」「ミューシャ」の文字を三段に書してなる本件商標中の「ＭＵＣＨＡ」の文字は、世界的に著名なチェコの画家の略称として、わが国においても相当程度に知られていたものといわざるを得ず、他にこの文字が特定の意味を有するものとして知られていたとの証左を見出せない。
　ところで、商標法第４条第１項第７号の「公の秩序又は善良な風俗を害するおそれがある商標は、商標登録を受けることができない」旨の規定は、商標の構成自体がきょう激、卑わい、若しくは差別的な印象を与えるような文字、図形等から構成されている場合だけでなく、商標自体はこのようなものでなくても、これを指定商品又は指定役務に使用することが社会公共の利益・社会の一般的道徳観念に反する場合や一般に国際信義に反する商標である場合にその登録を拒絶すべきことを定めていると解されているところである。
　してみれば、チェコの画家を指称するものとして、わが国においても相当程度知られているといえる「ＭＵＣＨＡ」の文字を含む本件商標をその指定商品に使用するときは、ミュシャの作品と何らかの関係を有する商品であると認識するというのが相当である。
　そうすると、本件商標は、出願当時すでにわが国において相当程度の好評を博していた「ＭＵＣＨＡ／ミュシャ」作品又はその作者の名声を利用する意図をもって、ミュシャと何らの関係のない他人が自己の商標として使用するものといわなければならない。
　してみれば、本件商標は、公正な競合秩序を阻害し、あるいは、国際信義又は商取引上の信義則に反するものといわざるを得ない。
　したがって、本件商標は商標法第４条第１項第７号に違反して登録されたものであるから、同法第４６条第１項第１号により、その登録は無効とすべきものである。
　よって、結論のとおり審決する。